(57)【要約】【課題】室内に載置されるノートパソコンがデザイン性を備えて提供されるようにすることを目的とする。【解決手段】本考案は、ヒンジ部を介して開閉される、それぞれ蓋体および筐体の内側面に、液晶表示部およびキーボードを配置したノート型コンピュータの外装構造において、蓋体および筐体を、所要の機能表示画像の表示適性に沿った輪郭形状で構成すると共に、両者の少なくとも一方の外側面に機能表示画像を表現している。蓋体および筐体は、動物、食品、建造物など、あるいは、これをアニメ化したキャラクタを輪郭形状とすると共に、そのキャラクタを機能表示画像として、少なくとも蓋体の外側面に表現している。また、蓋体または筐体の一部には、フォト・ホルダー部が構成されている。【選択図】　　　　　図１
0003098960.tif 000002
【実用新案登録請求の範囲】
【請求項１】
ヒンジ部を介して開閉される、それぞれ蓋体および筐体の内側面に、液晶表示部およびキーボードを配置したノート型コンピュータの外装構造において、
前記蓋体および筐体を、所要の機能表示画像の表示適性に沿った輪郭形状で構成すると共に、両者の少なくとも一方の外側面に前記機能表示画像を表現していることを特徴とするノート型コンピュータの外装構造。
【請求項２】
前記機能表示画像は、ゲーム基板のための表示画像を備えると共に、該ゲーム基板で使用する駒の開閉可能な収容部を前記蓋体または筐体に備えることを特徴とする請求項１に記載のノート型コンピュータの外装構造。
【請求項３】
前記蓋体および筐体は、動物、食品、建造物など、あるいは、これをアニメ化したキャラクタを輪郭形状とすると共に、そのキャラクタを機能表示画像として、少なくとも前記蓋体の外側面に表現していることを特徴とする請求項１に記載のノート型コンピュータの外装構造。
【請求項４】
前記蓋体または筐体の一部には、フォト・ホルダー部が構成されていることを特徴とする請求項１ないし３の何れか１項に記載のノート型コンピュータの外装構造。
【考案の詳細な説明】
【０００１】
【考案の属する技術分野】
本考案は、外装を視覚的にデザインすることにより、視認性（利用者の嗜好性を含む）を向上させたノート型コンピュータの外装構造に関する。
【０００２】
【従来の技術】
ノート型コンピュータ（ノートパソコン）は、その機能面が注目されるので、通常、シンプルで幾何学的な外装に形成される。特に、外観上、工夫が凝らされいるものとしては、外装を透明プラスチック材で構成して、パソコン内部が透けて見えるスケルトン方式が知られている。機械部品が淡白な構造物でしかないので、幾何学的なイメージに留まり、面白みに欠けている。なお、機能面に注目し、その外観が特徴的であると思われるノートパソコン載置台が、特開２００２−２１５２７０号公報に開示されている。この載置台は、ノートパソコンを載置する載置部と、その載置部の両側の夫々に設けられた一対のスピーカとを備え、載置部には、スピーカへの音声信号を増幅するアンプ、もしくは、重低音用スピーカーを設けたものである。また、前記載置部は、所定の角度で傾斜させる支持部を有し、また、一対のスピーカを傾斜させて取り付けるフレームを有し、ＣＤ？ＲＯＭやＤＶＤ？ＲＯＭに記憶された映画やコンサートの映像を鑑賞する場合、充分な音響効果が得られるものとなっている。
【０００３】
【考案が解決しようとする課題】
上記したノートパソコン載置台は、良好な音響効果が得られる機能を備える点で工夫されたものである。しかし、日常的に使用されるノート型パソコンは、例えば、机や棚に置かれるので、インテリアの一部として視覚に入るから、その意味で、現状の外装では、デザイン上視覚的に充分機能を発揮しているものとはなっていない。本考案は、このような事情に鑑み、室内に載置されるノートパソコンが利用者の嗜好性やインテリアの一部としてのデザイン性を備えるようにすることを目的とする。
【０００４】
【課題を解決するための手段】
上記課題を解決するために、本考案によるノート型コンピュータの外装構造は、ヒンジ部を介して開閉される、それぞれ蓋体および筐体の内側面に、液晶表示部およびキーボードを配置したノート型コンピュータの外装構造において、前記蓋体および筐体を、所要の機能表示画像の表示適性に沿った輪郭形状で構成すると共に、両者の少なくとも一方の外側面に前記機能表示画像を表現していることを特徴とする。前記機能表示画像は、ゲーム基板のための表示画像を備えると共に、該ゲーム基板で使用する駒の開閉可能な収容部を前記蓋体または筐体に備えることを特徴とする。前記蓋体および筐体は、動物、食品、建造物など、あるいは、これをアニメ化したキャラクタを輪郭形状とすると共に、そのキャラクタを機能表示画像として、少なくとも前記蓋体の外側面に表現していることを特徴とする。また、前記蓋体または筐体の一部には、フォト・ホルダー部が構成されていることを特徴とする。
【０００５】
これにより、日常的に室内に載置されて使用されるノート型パソコンが、インテリアの一部として室内装飾性を発揮すると共に、例えば、子供用のパソコンとした場合には、子供に馴染み易さを与えるなどのメリットを得ることになる。
また、写真が飾られるようにフォトフォルダーを備えた場合、もしくは、ゲームの基板となるように形成された場合には、それぞれ、写真立てとしての機能や玩具としての別の機能も兼ね備えたものとなる。
【０００６】
【考案の実施の形態】
図１および図２は、ノートパソコン（ノート型コンピュータ）１０を示した第１の実施の形態であり、図１は開いた状態、図２は閉じた状態を示したものである。この図１および図２に示すように、第１の実施の形態におけるノートパソコン１０は、筐体１および蓋体２がヒンジ部７を介して開閉可能に構成されており、それぞれの内側面に、キーボード４および液晶表示部３を有している。また、全体的な輪郭形状は、猫のキャラクターをイメージして形成され、蓋体２の外側面には、猫のイメージでその顔が表示された機能表示画像５を備えている。即ち、上述した輪郭形状は、機能表示画像５の表示適性に沿って形成され、利用者の利用目的に対応したものとなっている。
【０００７】
図３および図４は、ノートパソコン１０を示した第２の実施の形態であり、図３は開いた状態、図４は閉じた状態を示したものである。この第２の実施の形態におけるノートパソコン１０は、上述した第１の実施の形態におけるノートパソコン１０と、基本的には同一の構成である。しかし、全体的な輪郭形状は、食パンをイメージして形成されたものであり、蓋体２の外側面には、写真が保持できるようにフォトホルダー６を設けている。さらに、筐体１および蓋体２を連結するヒンジ部（図省略）を内部に収納させ、底は平らに形成したものである。これにより、筐体１および蓋体２を連結するヒンジ部を底にして縦に載置できるものとなっている。
【０００８】
図５および図６は、ノートパソコン１０を示した第３の実施の形態であり、図５は開いた状態、図６は閉じた状態を示したものである。同様に、図７および図８は、第４の実施の形態であり、図７は開いた状態、図８は閉じた状態を示したものである。この第３の実施の形態は、ノートパソコン１０の全体的な輪郭形状を牛とし、機能表示画像５に牛の絵を描いたものである。また、第４の実施の形態は、ノートパソコン１０の全体的な輪郭形状を２階建ての家とし、機能表示画像５に家の絵を描いたものである。このように、様々な趣向で機能表示画像５を形成し、その表示適正に沿った輪郭形状で筐体１および蓋体２を形成することによりデザイン性を備えたノートパソコン１０とすることができる。
【０００９】
図９および図１０は、ノートパソコン１０を示した第５の実施の形態であり、図９は開いた状態、図１０は閉じた状態を示したものである。この第５の実施の形態は、機能表示画像５がゲーム基板のための画像を備えると共に、ゲーム基板で使用する駒の開閉可能な収容部（図省略）を蓋体２または筐体１に備えたものである。即ち、実際にゲームが楽しめるように構成されたものであるが、単なるデザインとして描かれたものであっても、愛好家にとっては愛着が感じられるものとなる。
【００１０】
図１１および図１２は、ノートパソコン１０を示した第６の実施の形態であり、図１１は開いた状態、図１２は閉じた状態を示したものである。同様に、図１３および図１４は、第７の実施の形態であり、図１３は開いた状態、図１４は閉じた状態を示したものである。さらに、図１５および図１６は、第８の実施の形態であり、図１５は開いた状態、図１６は閉じた状態を示したものである。第６の実施の形態の特徴は、ノートパソコン１０の全体的な輪郭形状を円形とし、機能表示画像５には世界地図がイメージして描かれている。即ち、地球儀が室内装飾品となり得るように、世界地図をイメージしてその画像が描かれたノートパソコン１０は、蓋体２を閉じた状態で同様の室内装飾品となり得る。第７の実施の形態の特徴は、フルーツが盛られたイメージであり、第８の実施の形態の特徴は、華が盛られたイメージ図である。これら、第７、８の実施の形態においては、特に、機能表示画像５を立体的な象形物として形成するにより、更に、デザイン性が向上する。
【００１１】
以上説明したように、ノートパソコン１０の外装構造が、その形状や色彩を任意に選択し得るものとし、動物、食品、建造物など、あるいは、これをアニメ化したキャラクタを輪郭形状として蓋体２の外側面に表現すると共に、そのキャラクターを機能表示画像５として描くことで、デザイン性を備えたノートパソコン１０とすることができる。尚、本考案のノート型コンピュータの外装構造は、通常のノートパソコンに、デザイン性を備えるために収納する収納ケースや収納枠体を含む。
【００１２】
本考案は、上記のとおり構成されているので、室内に載置されるノートパソコンにデザイン性を備えることができる。また、ノートパソコンにフォトホルダーを備えることにより写真を飾ることや、ノートパソコンをゲーム基板とした場合には、新たな用途が付加されたものとなる。機能表示画像を好適な色彩や立体的象形物として形成した場合は、室内装飾品としての機能を向上させる。
【図面の簡単な説明】
【図１】開いた状態のノートパソコンを示した第１の実施の形態である。
【図２】閉じた状態のノートパソコンを示した第１の実施の形態である。
【図３】開いた状態のノートパソコンを示した第２の実施の形態である。
【図４】閉じた状態のノートパソコンを示した第２の実施の形態である。
【図５】開いた状態のノートパソコンを示した第３の実施の形態である。
【図６】閉じた状態のノートパソコンを示した第３の実施の形態である。
【図７】開いた状態のノートパソコンを示した第４の実施の形態である。
【図８】閉じた状態のノートパソコンを示した第４の実施の形態である。
【図９】開いた状態のノートパソコンを示した第５の実施の形態である。
【図１０】閉じた状態のノートパソコンを示した第５の実施の形態である。
【図１１】開いた状態のノートパソコンを示した第６の実施の形態である。
【図１２】閉じた状態のノートパソコンを示した第６の実施の形態である。
【図１３】開いた状態のノートパソコンを示した第７の実施の形態である。
【図１４】閉じた状態のノートパソコンを示した第７の実施の形態である。
【図１５】開いた状態のノートパソコンを示した第８の実施の形態である。
【図１６】閉じた状態のノートパソコンを示した第８の実施の形態である。
【符号の説明】
１　筐体
２　蓋体
３　液晶表示部
４　キーボード
５　機能表示画像
６　フォトフォルダー
７　ヒンジ部
１０　ノートパソコン
【図１】
0003098960.tif 000003
【図２】
0003098960.tif 000004
【図３】
0003098960.tif 000005
【図４】
0003098960.tif 000006
【図５】
0003098960.tif 000007
【図６】
0003098960.tif 000008
【図７】
0003098960.tif 000009
【図８】
0003098960.tif 000010
【図９】
0003098960.tif 000011
【図１０】
0003098960.tif 000012
【図１１】
0003098960.tif 000013
【図１２】
0003098960.tif 000014
【図１３】
0003098960.tif 000015
【図１４】
0003098960.tif 000016
【図１５】
0003098960.tif 000017
【図１６】
0003098960.tif 000018